【手続補正書】
【提出日】平成19年1月29日(2007.1.29)
【手続補正１】
【補正対象書類名】特許請求の範囲
【補正対象項目名】全文
【補正方法】変更
【補正の内容】
【特許請求の範囲】
【請求項１】
上側の第１の表面と下側の第２の表面とを有する誘電体基板と、前記第２の表面上または前記第１および第２の表面の間に設けられた導電性接地面と、前記第１の表面上に形成され、フィードポイントから前記第１の表面の辺縁部分または角部分にある所定の放射ポイントまで伸びる少なくとも２本の導電性フィードラインと、を含み、前記接地面が前記放射ポイントの真下には広がらないで、前記放射ポイントの間に広がるように構成されたアンテナ装置において、
前記フィードラインは前記放射ポイントのところで個別の誘電体素子が設けられている、ことを特徴とするアンテナ装置。
【請求項２】
前記フィードラインは、マイクロストリップフィードラインであることを特徴とする請求項１に記載のアンテナ装置。
【請求項３】
前記第１の表面上には、４本のフィードラインとそれぞれのフィードラインに付随する４つの放射ポイントとが設けられていることを特徴とする請求項１または２に記載のアンテナ装置。
【請求項４】
前記誘電体基板は、４つの角部分と４つの辺縁部分を有する概ね長方形の形をしており、各フィードラインはそれぞれの角部分まで伸びていることを特徴とする請求項３に記載のアンテナ装置。
【請求項５】
前記誘電体基板は、４つの角部分と４つの辺縁部分を有する概ね長方形の形をしており、２本のフィードラインは隣り合う角部分までそれぞれ伸び、残りの２本のフィードラインは前記隣り合う角部分の１つにそれぞれが隣接する対向する辺縁部分までそれぞれ伸びていることを特徴とする請求項３に記載のアンテナ装置。
【請求項６】
前記第１の表面上には、２本のフィードラインとそれぞれのフィードラインに付随する２つの放射ポイントとが設けられていることを特徴とする請求項１または２に記載のアンテナ装置。
【請求項７】
前記２本のフィードラインは、前記第１の表面の２つの隣り合う角部分までそれぞれ伸びていることを特徴とする請求項６に記載のアンテナ装置。
【請求項８】
前記各フィードラインは、隣り合う放射ポイントに互いに直角を成すように配置されていることを特徴とする請求項１乃至７のいずれかに記載のアンテナ装置。
【請求項９】
前記各フィードラインは、それらを個別的に駆動するのではなく２つ一組で駆動することができるように駆動回路に電気接続されていることを特徴とする請求項３乃至８のいずれかに記載のアンテナ装置。
【請求項１０】
前記各フィードラインは、前記放射ポイントのところで幅が拡張され、かつ長方形、円錐形、円形、楕円形、円環形もしくは多角形の形状に構成されていることを特徴とする請求項１乃至９のいずれかに記載のアンテナ装置。
【請求項１１】
前記各フィードラインは、前記放射ポイントのところに誘電体セラミック素子が設けられていることを特徴とする請求項１乃至９のいずれかに記載のアンテナ装置。
【請求項１２】
前記各セラミック素子は、前記放射ポイントのところで前記フィードラインに半田付けされていることを特徴とする請求項１１記載のアンテナ装置。
【請求項１３】
前記各セラミック素子は、前記フィードラインと接触するその素子表面上にメタライゼーション処理が施されていることを特徴とする請求項１１または１２に記載のアンテナ装置。
【請求項１４】
前記各セラミック素子は、先の尖った先端部と丸みを帯びた側面部とを有するシリンダーの切片の形状をしていることを特徴とする請求項１１乃至１３のいずれかに記載のアンテナ装置。
【請求項１５】
前記各セラミック素子は、前記先の尖った先端部が互いに外向きになるように前記第１の表面上に配置されていることを特徴とする請求項１４記載のアンテナ装置。
【請求項１６】
前記各セラミック素子は、前記先の尖った先端部が互いに内向きになるように前記第１の表面上に配置されていることを特徴とする請求項１４記載のアンテナ装置。
【請求項１７】
前記各セラミック素子は矩形形状を有しており、前記放射ポイントのところで前記フィードラインと一直線上に並ぶように配置されていることを特徴とする請求項１１乃至１４のいずれかに記載のアンテナ装置。
【請求項１８】
前記フィードラインは、前記放射ポイントのところで幅が拡張されていることを特徴とする請求項１乃至９のいずれか、または請求項１１乃至１７のいずれかに記載のアンテナ装置。
【請求項１９】
上側の第１の表面と下側の第２の表面とを有する誘電体基板と、前記第２の表面上または前記第１および第２の表面の間に設けられた導電性接地面と、前記第１の表面上に形成されておりフィードポイントから前記第１の表面の辺縁部分または角部分にある所定の放射ポイントまで伸びる４本の導電性フィードラインと、を含み、前記接地面が前記放射ポイントの真下には広がらないで、前記放射ポイントの間に広がるように構成されたアンテナ装置において、
前記放射ポイントの２つは前記第１の表面の隣り合う角部分に位置付けられ、前記放射ポイントの残りの２つは前記第１の表面の対向する辺縁部分に位置付けられることを特徴とするアンテナ装置。
【手続補正２】
【補正対象書類名】明細書
【補正対象項目名】００１２
【補正方法】変更
【補正の内容】
【００１２】
米国特許第５８２８３４６号は、印刷回路基板（ＰＣＢ）の２つの隅に取付けられた一対のモノポールアンテナを有するダイバシティカードアンテナを開示している。上記一対のモノポールは、パターンダイバシティを提供するために、それぞれＦアンテナおよび逆Ｆアンテナ、Ｌアンテナおよび逆Ｌアンテナ、あるいは、ＦアンテナおよびＬアンテナとして形成される。これらのアンテナは、フェーディングを除去するために、スイッチング装置により交互に給電される。
ヨーロッパ特許第０７２０２５２号（ＡＴ＆Ｔ）は、マルチブランチパッチアンテナを開示している。このマルチブランチパッチアンテナでは、導電性接地面（グランドプレーン）上に配置された誘電体基板上に４つの導電性パッチが取付けられている。導電性「隔壁」は、誘電体基板の表面上に十字形を形成して複数のパッチアンテナを分離し、かつ、上記接地面に接触する。これらのパッチアンテナは、上記接地面の上方に配置されている。
【手続補正３】
【補正対象書類名】明細書
【補正対象項目名】００１４
【補正方法】変更
【補正の内容】
【００１４】
本発明の第１の側面として、上側の第１の表面と下側の第２の表面とを有する誘電体基板と、第２の表面上または第１および第２の表面の間に設けられた導電性接地面と、第１の表面上に形成されておりフィードポイントから第１の表面の辺縁部分または角部分にある所定の放射ポイントまで伸びる少なくとも２本の導電性フィードラインとを含み、前記接地面が前記放射ポイントの真下には広がらないで、前記放射ポイントの間に広がるように構成されたアンテナ装置において、前記フィードラインは前記放射ポイントのところで個別の誘電体素子が取り付けられている、ことを特徴とするアンテナ装置が提供される。
【手続補正４】
【補正対象書類名】明細書
【補正対象項目名】００１５
【補正方法】変更
【補正の内容】
【００１５】
本発明の第２の側面として、上側の第１の表面と下側の第２の表面とを有する誘電体基板と、第２の表面上または第１および第２の表面の間に設けられた導電性接地面と、第１の表面上に形成されておりフィードポイントから第１の表面の辺縁部分または角部分にある所定の放射ポイントまで伸びる４本の導電性フィードラインとを含み、前記接地面が前記放射ポイントの真下には広がらないで、前記放射ポイントの間に広がるように構成されたアンテナ装置において、前記放射ポイントの２つは前記第１の表面の隣り合う角部分に位置付けられ、前記放射ポイントの残りの２つは前記第１の表面の対向する辺縁部分に位置付けられる、ことを特徴とするアンテナ装置が提供される。